(57)【特許請求の範囲】
【請求項１】
正面視で、ゴム加速採取器を含み、前記ゴム加速採取器の中には作動チャンバが設置され、前記作動チャンバの中には測量機構が設置され、前記測量機構は回転できる伝動ギヤを含み、前記伝動ギヤの上下両側にはそれぞれ前記伝動ギヤと噛み合って動力を伝達する第一ラックと第二ラックとが設置され、前記伝動ギヤの左右両側にはそれぞれ左右方向に移動できる第一挟みロッドと第二挟みロッドとが設置され、前記伝動ギヤが回転すると、前記第一挟みロッドと前記第二挟みロッドとを連動させて互いに近づかせ、それによって、ゴムの木をきつく挟み、ゴムの木のサイズを確定し、
前記測量機構の上側には駆動機構が設置され、前記駆動機構が前記測量機構と噛み合って伝動することによって前記測量機構を作動させ、
前記駆動機構の上側には穿孔機構が設置され、前記測量機構がゴムの木のサイズを確定した後、前記駆動機構が前記穿孔機構を駆動して作動させ、前記穿孔機構は前記測量機構の作動と共に上下方向に運動する鉛直ロッドを含み、前記鉛直ロッドの前側には回転できる中空ロッドが設置され、前記中空ロッドの右側にはネジ山によって連結された穿孔カッターが設置され、前記中空ロッドの回転が前記鉛直ロッドに阻まれた時、前記穿孔カッターが上昇してゴムの木に孔を開けることができ、前記中空ロッドが前記鉛直ロッドに阻まれなくなると孔を開けなくなり、穿孔の深さはゴムの木のサイズによって決まり、
前記ゴム加速採取器の中には加速機構が設置され、前記加速機構は前記穿孔機構が開けた孔の中にエチレンを加えることができ、それによってゴムの樹液の流れ出す速度を上げることを特徴とする天然ゴムの快速採取設備。
【請求項２】
前記測量機構はまた前記作動チャンバの下端壁の左側に位置している第一移動溝を含み、前記第一移動溝の上端壁が前記作動チャンバに連通しており、前記第一移動溝の中には第一移動ブロックがスライドできるように設置され、前記第一移動ブロックの上端が前記作動チャンバの中に位置しており、また前記第一移動ブロックの上端には第一横向きロッドが固定的に設置され、前記第一横向きロッドの上端面には第二ラックが嵌められるように設置され、前記第一横向きロッドの上端面には前記第一挟みロッドが固定的に設置され、前記第一挟みロッドの上端が外部空間の中に位置しており、前記第一横向きロッドの上側には前記作動チャンバの後端壁と回転できるように連結された旋転軸が設置され、前記旋転軸には前記伝動ギヤが固定的に設置され、前記作動チャンバの下端壁の右側には上方に開口した第二移動溝が形成されており、前記第二移動溝の中には上端が前記作動チャンバの中に位置している第二移動ブロックがスライドできるように設置され、前記第二移動ブロックの上端には第二横向きロッドが固定的に設置され、前記第二横向きロッドの下端面には第一ラックが嵌められるように設置され、前記第二横向きロッドの上端面には第三ラックと前記第二挟みロッドとが固定的に設置され、前記第二挟みロッドが前記第三ラックの右側に位置しており、前記第二挟みロッドの上端が外部空間の中に位置していることを特徴とする請求項１に記載の天然ゴムの快速採取設備。
【請求項３】
前記穿孔機構はまた前記作動チャンバの後端壁と固定的に連結された支持板を含み、前記支持板の上端面には細軸が回転できるように設置され、前記細軸には第一プーリが固定的に設置され、前記細軸にはネジ山ブロックがネジ山によって連結され、前記ネジ山ブロックの上端には上端が外部空間の中に位置している前記穿孔カッターが固定的に設置され、前記ネジ山ブロックの左端面には前記中空ロッドが固定的に設置され、前記中空ロッドの中には上方及び左方に開口した回転チャンバが設置され、前記回転チャンバの中には短軸が回転できるように設置され、前記短軸には左端が前記作動チャンバの中に位置している回転ロッドが固定的に設置され、前記作動チャンバの後端壁には前方に開口した運動溝が形成されており、前記運動溝の中には前端が前記作動チャンバの中に位置している運動ブロックがスライドできるように設置されていることを特徴とする請求項２に記載の天然ゴムの快速採取設備。
【請求項４】
前記運動ブロックの前端には力受けブロックが固定的に設置され、前記力受けブロックの右端には前記鉛直ロッドが固定的に設置され、前記力受けブロックの前端面には力受け軸が回転できるように設置され、前記力受け軸には傾斜ロッドが固定的に設置され、前記作動チャンバの中の第一挟みロッドの右端面には力受け板が固定的に設置され、前記傾斜ロッドが前記力受け板と回転できるように連結され、前記ネジ山ブロックの右側には前記作動チャンバの上端壁と固定的に連結された止めロッドが設置され、前記止めロッドの右側には前記作動チャンバの上端壁と回転できるように連結されたプーリ軸が設置され、前記プーリ軸には第二プーリが固定的に設置され、前記第二プーリと前記第一プーリとがベルトによって摩擦によって伝動され、前記プーリ軸の下端面には磁石が嵌められるように設置されていることを特徴とする請求項３に記載の天然ゴムの快速採取設備。
【請求項５】
前記駆動機構は前記作動チャンバの後端壁に装着されたモーターを含み、前記モーターの右端面にはモーター軸が回転できるように設置され、前記モーター軸の右端には第一ベベルギヤが固定的に設置され、前記作動チャンバの後端壁には定位ブロックが固定的に設置され、前記定位ブロックの中には伝動軸が回転できるように設置され、前記伝動軸には前記第一ベベルギヤと噛み合って動力を伝達する第二ベベルギヤが固定的に設置され、前記伝動軸には伝動ギヤが設置され、前記伝動ギヤと前記第三ラックとが噛み合うように動力を伝達し、前記伝動ギヤの中には前記伝動軸に向いて開口した止めチャンバが設置され、前記伝動軸の中には左方に開口した弾性チャンバが設置され、前記弾性チャンバの右端壁には弾性ばねが固定的に設置され、前記弾性ばねの左端には左端が前記止めチャンバの中に位置している弾性ブロックが固定的に設置され、前記伝動軸の中には上方に開口した弾力チャンバが設置され、前記弾力チャンバの下端壁には弾力ばねが固定的に設置され、前記弾力ばねの上端には上端が前記作動チャンバの中に位置している鉄ブロックが固定的に設置され、前記鉄ブロックと前記弾性ブロックとがロープによって連結されていることを特徴とする請求項４に記載の天然ゴムの快速採取設備。
【請求項６】
前記加速機構は前記ゴム加速採取器の中に位置している液貯蔵チャンバを含み、前記液貯蔵チャンバの中にはエチレンがあり、前記液貯蔵チャンバの右端壁が密閉栓によって外部空間に連通し、前記液貯蔵チャンバの下端壁には定量チャンバが設置され、前記定量チャンバが第一給水管によって前記液貯蔵チャンバに連通し、前記第一給水管の中には第一逆止弁が装着され、前記ゴム加速採取器の右端壁には排水管が装着され、前記定量チャンバと前記排水管とが第二給水管によって連通しており、前記第二給水管の中には第二逆止弁が装着され、前記定量チャンバの左端壁の中には下方に開口したプッシュチャンバが設置され、前記定量チャンバの中にはピストンがスライドできるように設置され、前記ピストンの左端面には左端が前記定量チャンバの左端壁と固定的に連結されたピストンばねが二つ固定的に設置され、前記ピストンの左端面の中心には左端が前記プッシュチャンバの中に位置している推力ロッドが固定的に設置され、前記推力ロッドの左端には推力板が固定的に設置されていることを特徴とする請求項１に記載の天然ゴムの快速採取設備。
【請求項７】
前記鉄ブロックと前記磁石との間には吸引力があることを特徴とする請求項５に記載の天然ゴムの快速採取設備。
【請求項８】
前記弾性ばねの弾力は前記弾力ばねの弾力より大きく、前記弾力ばねが圧縮された状態にあることを特徴とする請求項５に記載の天然ゴムの快速採取設備。
【発明の詳細な説明】
【技術分野】
【０００１】
本発明はゴム採取分野に関わり、具体的には天然ゴムの快速採取設備である。
【背景技術】
【０００２】
天然ゴムはゴムの木が分泌した樹液によって作られ、普通に人が早朝にゴムの木に環状の切口から採取されるのであり、しかし現在のゴムの樹液採取方法はゴムの木に大きな損害を及ぼし、また一般的に手で操作し、効率が低く、切る深さは判断できなく、それでゴムの木の寿命に影響する。
【先行技術文献】
【特許文献】
【０００３】
【特許文献１】中国特許出願公開第１０２４４８７０１号明細書
【発明の概要】
【発明が解決しようとする課題】
【０００４】
本発明が解決しようとする問題は天然ゴムの快速採取設備を提供するのであり、ゴムの樹液を採取する効率が低く、採取方法がゴムの木に大きな損害を及ぼすなど問題を解決する。
【課題を解決するための手段】
【０００５】
本発明は下記の技術プランによって実現される。
【０００６】
ゴム加速採取器を含み、前記ゴム加速採取器の中には作動チャンバが設置され、前記作動チャンバの中には測量機構が設置され、前記測量機構は回転できる伝動ギヤを含み、前記伝動ギヤの上下両側にはそれぞれ前記伝動ギヤと噛み合って動力を伝達する第一ラックと第二ラックとが設置され、前記伝動ギヤの左右両側にはそれぞれ左右方向に移動できる第一挟みロッドと第二挟みロッドとが設置され、前記伝動ギヤが回転すると、前記第一挟みロッドと前記第二挟みロッドとを連動させて互いに近づかせ、それによって、ゴムの木をきつく挟み、ゴムの木のサイズを確定する。
【０００７】
前記測量機構の上側には駆動機構が設置され、前記駆動機構が前記測量機構と噛み合って伝動することによって前記測量機構を作動させる。
【０００８】
前記駆動機構の上側には穿孔機構が設置され、前記測量機構がゴムの木のサイズを確定した後、前記駆動機構が前記穿孔機構を駆動して作動させ、前記穿孔機構は前記測量機構の作動と共に上下方向に運動する鉛直ロッドを含み、前記鉛直ロッドの前側には回転できる中空ロッドが設置され、前記中空ロッドの右側にはネジ山によって連結された穿孔カッターが設置され、前記中空ロッドの回転が前記鉛直ロッドに阻まれた時、前記穿孔カッターが上昇してゴムの木に孔を開けることができ、前記中空ロッドが前記鉛直ロッドに阻まれなくなると孔を開けなくなり、穿孔の深さはゴムの木のサイズによって決まる。
【０００９】
前記ゴム加速採取器の中には加速機構が設置され、前記加速機構は前記穿孔機構が開けた孔の中にエチレンを加えることができ、それによってゴムの樹液の流れ出す速度を上げる。
【００１０】
好ましくは、前記測量機構はまた前記作動チャンバの下端壁の左側に位置している第一移動溝を含み、前記第一移動溝の上端壁が前記作動チャンバに連通しており、前記第一移動溝の中には第一移動ブロックがスライドできるように設置され、前記第一移動ブロックの上端が前記作動チャンバの中に位置しており、また前記第一移動ブロックの上端には第一横向きロッドが固定的に設置され、前記第一横向きロッドの上端面には第二ラックが嵌められるように設置され、前記第一横向きロッドの上端面には前記第一挟みロッドが固定的に設置され、前記第一挟みロッドの上端が外部空間の中に位置しており、前記第一横向きロッドの上側には前記作動チャンバの後端壁と回転できるように連結された旋転軸が設置され、前記旋転軸には前記伝動ギヤが固定的に設置され、前記作動チャンバの下端壁の右側には上方に開口した第二移動溝が形成されており、前記第二移動溝の中には上端が前記作動チャンバの中に位置している第二移動ブロックがスライドできるように設置され、前記第二移動ブロックの上端には第二横向きロッドが固定的に設置され、前記第二横向きロッドの下端面には第一ラックが嵌められるように設置され、前記第二横向きロッドの上端面には第三ラックと前記第二挟みロッドとが固定的に設置され、前記第二挟みロッドが前記第三ラックの右側に位置しており、前記第二挟みロッドの上端が外部空間の中に位置している。
【００１１】
好ましくは、前記穿孔機構について詳しい説明を行い、前記穿孔機構はまた前記作動チャンバの後端壁と固定的に連結された支持板を含み、前記支持板の上端面には細軸が回転できるように設置され、前記細軸には第一プーリが固定的に設置され、前記細軸にはネジ山ブロックがネジ山によって連結され、前記ネジ山ブロックの上端には上端が外部空間の中に位置している前記穿孔カッターが固定的に設置され、前記ネジ山ブロックの左端面には前記中空ロッドが固定的に設置され、前記中空ロッドの中には上方及び左方に開口した回転チャンバが設置され、前記回転チャンバの中には短軸が回転できるように設置され、前記短軸には左端が前記作動チャンバの中に位置している回転ロッドが固定的に設置され、前記作動チャンバの後端壁には前方に開口した運動溝が形成されており、前記運動溝の中には前端が前記作動チャンバの中に位置している運動ブロックがスライドできるように設置されている。
【００１２】
好ましくは、前記運動ブロックの前端には力受けブロックが固定的に設置され、前記力受けブロックの右端には前記鉛直ロッドが固定的に設置され、前記力受けブロックの前端面には力受け軸が回転できるように設置され、前記力受け軸には傾斜ロッドが固定的に設置され、前記作動チャンバの中の第一挟みロッドの右端面には力受け板が固定的に設置され、前記傾斜ロッドが前記力受け板と回転できるように連結され、前記ネジ山ブロックの右側には前記作動チャンバの上端壁と固定的に連結された止めロッドが設置され、前記止めロッドの右側には前記作動チャンバの上端壁と回転できるように連結されたプーリ軸が設置され、前記プーリ軸には第二プーリが固定的に設置され、前記第二プーリと前記第一プーリとがベルトによって摩擦によって伝動され、前記プーリ軸の下端面には磁石が嵌められるように設置されている。
【００１３】
好ましくは、前記駆動機構は前記作動チャンバの後端壁に装着されたモーターを含み、前記モーターの右端面にはモーター軸が回転できるように設置され、前記モーター軸の右端には第一ベベルギヤが固定的に設置され、前記作動チャンバの後端壁には定位ブロックが固定的に設置され、前記定位ブロックの中には伝動軸が回転できるように設置され、前記伝動軸には前記第一ベベルギヤと噛み合って動力を伝達する第二ベベルギヤが固定的に設置され、前記伝動軸には伝動ギヤが設置され、前記伝動ギヤと前記第三ラックとが噛み合うように動力を伝達し、前記伝動ギヤの中には前記伝動軸に向いて開口した止めチャンバが設置され、前記伝動軸の中には左方に開口した弾性チャンバが設置され、前記弾性チャンバの右端壁には弾性ばねが固定的に設置され、前記弾性ばねの左端には左端が前記止めチャンバの中に位置している弾性ブロックが固定的に設置され、前記伝動軸の中には上方に開口した弾力チャンバが設置され、前記弾力チャンバの下端壁には弾力ばねが固定的に設置され、前記弾力ばねの上端には上端が前記作動チャンバの中に位置している鉄ブロッ特願2019-143205   (Proof) 提出日:令和 1年 8月 2日 3
クが固定的に設置され、前記鉄ブロックと前記弾性ブロックとがロープによって連結されている。
【００１４】
好ましくは、前記加速機構は前記ゴム加速採取器の中に位置している液貯蔵チャンバを含み、前記液貯蔵チャンバの中にはエチレンがあり、前記液貯蔵チャンバの右端壁が密閉栓によって外部空間に連通し、前記液貯蔵チャンバの下端壁には定量チャンバが設置され、前記定量チャンバが第一給水管によって前記液貯蔵チャンバに連通し、前記第一給水管の中には第一逆止弁が装着され、前記ゴム加速採取器の右端壁には排水管が装着され、前記定量チャンバと前記排水管とが第二給水管によって連通しており、前記第二給水管の中には第二逆止弁が装着され、前記定量チャンバの左端壁の中には下方に開口したプッシュチャンバが設置され、前記定量チャンバの中にはピストンがスライドできるように設置され、前記ピストンの左端面には左端が前記定量チャンバの左端壁と固定的に連結されたピストンばねが二つ固定的に設置され、前記ピストンの左端面の中心には左端が前記プッシュチャンバの中に位置している推力ロッドが固定的に設置され、前記推力ロッドの左端には推力板が固定的に設置されている。
【００１５】
好ましくは、前記鉄ブロックと前記磁石との間には吸引力がある。
【００１６】
好ましくは、前記弾性ばねの弾力は前記弾力ばねの弾力より大きく、前記弾力ばねが圧縮された状態にある。
【発明の効果】
【００１７】
本発明の有益な効果は：本装置は自動でゴムの木のサイズを確定してサイズに対応した深さの孔を開けることができ、ゴムの木に与える損害が小さい場合でゴムの樹液を採取し、またゴムの木に定量のエチレンを注射でき、ゴムの樹液の分泌速度を高めてより速くゴムの樹液を採取し、ゴムの樹液を採取する速度を上げられるだけではなく、ゴムの木に与えた損害も減少でき、ゴムの木の使用寿命を延ばす。
【図面の簡単な説明】
【００１８】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１９】
【図１】図１は本発明の天然ゴムの快速採取設備の全体全断面の正面構成概略図
【図２】図２は図１の中のＡのところの拡大概略図
【図３】図３は図１の中のＢのところの拡大概略図
【図４】図４は図１の中のＣのところの拡大概略図
【発明を実施するための形態】
【００２０】
付図１〜４に記載の天然ゴムの快速採取設備の機械構成概略図を合わせて、本発明の天然ゴムの快速採取設備は、ゴム加速採取器１０を含み、前記ゴム加速採取器１０の中には作動チャンバ１３が設置され、前記作動チャンバ１３の中には測量機構８１が設置され、前記測量機構８１は回転できる伝動ギヤ３９を含み、前記伝動ギヤ３９の上下両側にはそれぞれ前記伝動ギヤ３９と噛み合って動力を伝達する第一ラック３８と第二ラック４１とが設置され、前記伝動ギヤ３９の左右両側にはそれぞれ左右方向に移動できる第一挟みロッド１２と第二挟みロッド２７とが設置され、前記伝動ギヤ３９が回転すると、前記第一挟みロッド１２と前記第二挟みロッド２７とを連動させて互いに近づかせ、それによって、ゴムの木をきつく挟み、ゴムの木のサイズを確定する。
【００２１】
前記測量機構８１の上側には駆動機構８３が設置され、前記駆動機構８３が前記測量機構８１と噛み合って伝動することによって前記測量機構８１を作動させる。
【００２２】
前記駆動機構８３の上側には穿孔機構８２が設置され、前記測量機構８１がゴムの木のサイズを確定した後、前記駆動機構８３が前記穿孔機構８２を駆動して作動させ、前記穿孔機構８２は前記測量機構８１の作動と共に上下方向に運動する鉛直ロッド５４を含み、前記鉛直ロッド５４の前側には回転できる中空ロッド５１が設置され、前記中空ロッド５１の右側にはネジ山によって連結された穿孔カッター１９が設置され、前記中空ロッド５１の回転が前記鉛直ロッド５４に阻まれた時、前記穿孔カッター１９が上昇してゴムの木に孔を開けることができ、前記中空ロッド５１が前記鉛直ロッド５４に阻まれなくなると孔を開けなくなり、穿孔の深さはゴムの木のサイズによって決まる。
【００２３】
前記ゴム加速採取器１０の中には加速機構８０が設置され、前記加速機構８０は前記穿孔機構８２が開けた孔の中にエチレンを加えることができ、それによってゴムの樹液の流れ出す速度を上げる。
【００２４】
更に、前記測量機構８１について詳しい説明を行い、前記測量機構８１はまた前記作動チャンバ１３の下端壁の左側に位置している第一移動溝４２を含み、前記第一移動溝４２の上端壁が前記作動チャンバ１３に連通しており、前記第一移動溝４２の中には第一移動ブロック４３がスライドできるように設置され、前記第一移動ブロック４３の上端が前記作動チャンバ１３の中に位置しており、また前記第一移動ブロック４３の上端には第一横向きロッド１１が固定的に設置され、前記第一横向きロッド１１の上端面には第二ラック４１が嵌められるように設置され、前記第一横向きロッド１１の上端面には前記第一挟みロッド１２が固定的に設置され、前記第一挟みロッド１２の上端が外部空間の中に位置しており、前記第一横向きロッド１１の上側には前記作動チャンバ１３の後端壁と回転できるように連結された旋転軸４０が設置され、前記旋転軸４０には前記伝動ギヤ３９が固定的に設置され、前記作動チャンバ１３の下端壁の右側には上方に開口した第二移動溝３７が形成されており、前記第二移動溝３７の中には上端が前記作動チャンバ１３の中に位置している第二移動ブロック３０がスライドできるように設置され、前記第二移動ブロック３０の上端には第二横向きロッド２９が固定的に設置され、前記第二横向きロッド２９の下端面には第一ラック３８が嵌められるように設置され、前記第二横向きロッド２９の上端面には第三ラック２８と前記第二挟みロッド２７とが固定的に設置され、前記第二挟みロッド２７が前記第三ラック２８の右側に位置しており、前記第二挟みロッド２７の上端が外部空間の中に位置している。
【００２５】
更に、前記穿孔機構８２について詳しい説明を行い、前記穿孔機構８２はまた前記作動チャンバ１３の後端壁と固定的に連結された支持板１６を含み、前記支持板１６の上端面には細軸１８が回転できるように設置され、前記細軸１８には第一プーリ１７が固定的に設置され、前記細軸１８にはネジ山ブロック２１がネジ山によって連結され、前記ネジ山ブロック２１の上端には上端が外部空間の中に位置している前記穿孔カッター１９が固定的に設置され、前記ネジ山ブロック２１の左端面には前記中空ロッド５１が固定的に設置され、前記中空ロッド５１の中には上方及び左方に開口した回転チャンバ４９が設置され、前記回転チャンバ４９の中には短軸５０が回転できるように設置され、前記短軸５０には左端が前記作動チャンバ１３の中に位置している回転ロッド４８が固定的に設置され、前記作動チャンバ１３の後端壁には前方に開口した運動溝４４が形成されており、前記運動溝４４の中には前端が前記作動チャンバ１３の中に位置している運動ブロック４５がスライドできるように設置されている。
【００２６】
前記運動ブロック４５の前端には力受けブロック４７が固定的に設置され、前記力受けブロック４７の右端には前記鉛直ロッド５４が固定的に設置され、前記力受けブロック４７の前端面には力受け軸４６が回転できるように設置され、前記力受け軸４６には傾斜ロッド１５が固定的に設置され、前記作動チャンバ１３の中の第一挟みロッド１２の右端面には力受け板１４が固定的に設置され、前記傾斜ロッド１５が前記力受け板１４と回転できるように連結され、前記ネジ山ブロック２１の右側には前記作動チャンバ１３の上端壁と固定的に連結された止めロッド２２が設置され、前記止めロッド２２の右側には前記作動チャンバ１３の上端壁と回転できるように連結されたプーリ軸２３が設置され、前記プーリ軸２３には第二プーリ２４が固定的に設置され、前記第二プーリ２４と前記第一プーリ１７とがベルト２６によって摩擦によって伝動され、前記プーリ軸２３の下端面には磁石２５が嵌められるように設置されている。
【００２７】
有益なように、前記駆動機構８３は前記作動チャンバ１３の後端壁に装着されたモーター５２を含み、前記モーター５２の右端面にはモーター軸５３が回転できるように設置され、前記モーター軸５３の右端には第一ベベルギヤ５９が固定的に設置され、前記作動チャンバ１３の後端壁には定位ブロック５８が固定的に設置され、前記定位ブロック５８の中には伝動軸６１が回転できるように設置され、前記伝動軸６１には前記第一ベベルギヤ５９と噛み合って動力を伝達する第二ベベルギヤ６５が固定的に設置され、前記伝動軸６１には伝動ギヤ５６が設置され、前記伝動ギヤ５６と前記第三ラック２８とが噛み合うように動力を伝達し、前記伝動ギヤ５６の中には前記伝動軸６１に向いて開口した止めチャンバ５７が設置され、前記伝動軸６１の中には左方に開口した弾性チャンバ６７が設置され、前記弾性チャンバ６７の右端壁には弾性ばね６６が固定的に設置され、前記弾性ばね６６の左端には左端が前記止めチャンバ５７の中に位置している弾性ブロック５５が固定的に設置され、前記伝動軸６１の中には上方に開口した弾力チャンバ６２が設置され、前記弾力チャンバ６２の下端壁には弾力ばね６４が固定的に設置され、前記弾力ばね６４の上端には上端が前記作動チャンバ１３の中に位置している鉄ブロック６３が固定的に設置され、前記鉄ブロック６３と前記弾性ブロック５５とがロープ６０によって連結されている。
【００２８】
有益なように、前記加速機構８０は前記ゴム加速採取器１０の中に位置している液貯蔵チャンバ３６を含み、前記液貯蔵チャンバ３６の中にはエチレンがあり、前記液貯蔵チャンバ３６の右端壁が密閉栓７６によって外部空間に連通し、前記液貯蔵チャンバ３６の下端壁には定量チャンバ６８が設置され、前記定量チャンバ６８が第一給水管７２によって前記液貯蔵チャンバ３６に連通し、前記第一給水管７２の中には第一逆止弁７３が装着され、前記ゴム加速採取器１０の右端壁には排水管３１が装着され、前記定量チャンバ６８と前記排水管３１とが第二給水管３２によって連通しており、前記第二給水管３２の中には第二逆止弁７４が装着され、前記定量チャンバ６８の左端壁の中には下方に開口したプッシュチャンバ３５が設置され、前記定量チャンバ６８の中にはピストン６９がスライドできるように設置され、前記ピストン６９の左端面には左端が前記定量チャンバ６８の左端壁と固定的に連結されたピストンばね７０が二つ固定的に設置され、前記ピストン６９の左端面の中心には左端が前記プッシュチャンバ３５の中に位置している推力ロッド３３が固定的に設置され、前記推力ロッド３３の左端には推力板３４が固定的に設置されている。
【００２９】
有益なように、前記鉄ブロック６３と前記磁石２５との間には吸引力がある。
【００３０】
有益なように、前記弾性ばね６６の弾力は前記弾力ばね６４の弾力より大きく、前記弾力ばね６４が圧縮された状態にある。
【００３１】
装置全体の機械動作の順序は：
【００３２】
（１）ゴムを採取する時、第一挟みロッド１２と第二挟みロッド２７とをゴムの木の両側に置き、穿孔カッター１９の上端がゴムの木を突いている。
【００３３】
（２）モーター５２を始動し、モーター軸５３を回転連動させ、第一ベベルギヤ５９がモーター軸５３と共に回転し、第一ベベルギヤ５９と第二ベベルギヤ６５との噛み合って動力を伝達することによって、第二ベベルギヤ６５を回転連動させ、伝動ギヤ５６が第二ベベルギヤ６５と共に回転し、伝動ギヤ５６と第三ラック２８との噛み合って動力を伝達することによって、第三ラック２８を左方へ運動連動させる。
【００３４】
（３）第一ラック３８と第二挟みロッド２７とが第三ラック２８と共に左方へ運動し、第一ラック３８と伝動ギヤ３９との噛み合って動力を伝達することによって、伝動ギヤ３９を回転連動させ、伝動ギヤ３９と第二ラック４１との噛み合って動力を伝達することによって、第二ラック４１を右方へ運動連動させ、第一挟みロッド１２が第二ラック４１と共に右方へ運動し、第一挟みロッド１２が傾斜ロッド１５を押し動かして運動させ、鉛直ロッド５４を第一挟みロッド１２と第二挟みロッド２７とがゴムの木を挟むまで下降連動させる。
【００３５】
（４）ゴムの木が挟まれた後、伝動ギヤ５６が回転できなくなり、弾性ブロック５５が止めチャンバ５７の中から離脱し、弾性ばね６６が圧縮され、ロープ６０を緩め、弾力ばね６４が復帰し、鉄ブロック６３を上昇連動させて磁石２５と吸引し合わせ、それによって伝動軸６１がプーリ軸２３を回転連動させ、第二プーリ２４がプーリ軸２３と共に回転する。
【００３６】
（５）ベルト２６の摩擦によって動力を伝達することで、第一プーリ１７を回転連動させ、細軸１８が第一プーリ１７と共に回転し、細軸１８とネジ山ブロック２１とがネジ山によって連結されたことによって、ネジ山ブロック２１を上昇連動させ、穿孔カッター１９がネジ山ブロック２１と共に上昇してゴムの木に刺さり、中空ロッド５１が鉛直ロッド５４の上側に運動するまで穿孔カッター１９の上昇を停止し、中空ロッド５１の運動方向で、回転ロッド４８が止めロッド２２のところに回転すると止めロッド２２に押し動かされて回転し続け、指定された深さの孔を開けることを完成する。
【００３７】
（６）モーター５２を逆方向に始動し、この方向で回転ロッド４８の回転が止めロッド２２に止められ、穿孔カッター１９をゴムの木の中から抜き出して復帰させ、鉄ブロック６３を磁石２５のところから取り下ろし、装置が復帰できる。
【００３８】
（７）排水管３１をゴムの木が開けた孔の中に差し込み、推力板３４を押し動かし、ピストン６９を連動させて定量チャンバ６８の中のエチレンを排水管３１を通してゴムの木の中に注ぎ、ゴムの木の樹液が流れ出す速度を上げる。
【００３９】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】      （修正有）【課題】天然ゴムの快速採取設備を提供する。【解決手段】ゴム加速採取器１０を含み、ゴム加速採取器１０の中には作動チャンバ１３が設置され、作動チャンバ１３の中には測量機構８１が設置され、測量機構８１は回転できる伝動ギヤ３９を含み、伝動ギヤ３９の上下両側にはそれぞれ伝動ギヤ３９と噛み合って動力を伝達する第一ラック３８と第二ラック４１とが設置される、天然ゴムの快速採取設備。【選択図】図１【図１】
0006714220.tif 000002
【図２】
0006714220.tif 000003
【図３】
0006714220.tif 000004
【図４】
0006714220.tif 000005